(57)【要約】【課題】  加熱及び蓄熱に際し、過剰に加熱してしまったときの高温の含水ゲルの飛散を防止する。【解決手段】  本発明の保温体１は、含水ゲル２を密閉してなる合成樹脂製の内袋３を、通気性を有する布製の外袋４に閉じこめてなっている。外袋４は、内袋３の膨張を許容するように形成されている。また、外袋４は、持ち手５が設けられている。この持ち手５は、液体の染み込みを防止するように形成されている。さらに、外袋４は、水溶性塗料が含浸又は塗布されてなっている。【選択図】      図１
2009034454.tif 000002
【特許請求の範囲】
【請求項１】
含水ゲルを密閉してなる合成樹脂製の内袋を、通気性を有する布製の外袋に閉じこめてなる保温体。
【請求項２】
前記外袋は、前記内袋の膨張を許容するように形成された請求項１記載の保温体。
【請求項３】
前記外袋は、持ち手が設けられた請求項１又は２記載の保温体。
【請求項４】
前記持ち手は、液体の染み込みを防止するように形成された請求項１〜３のいずれか一項に記載の保温体。
【請求項５】
前記外袋は、水溶性塗料が含浸又は塗布されてなる請求項１〜４のいずれか一項に記載の保温体。
【請求項６】
前記外袋は、水を含むと変色する塗料が含浸又は塗布されてなる請求項１〜５のいずれか一項に記載の保温体。
【請求項７】
前記外袋は、温度により変色する塗料が含浸又は塗布されてなる請求項１〜６のいずれか一項に記載の保温体。
【発明の詳細な説明】
【技術分野】
【０００１】
本発明は、含水ゲルを密閉してなる合成樹脂製の内袋を備えた保温体に関するものである。
【背景技術】
【０００２】
従来技術としては、特許文献１に記載された保温材を例示する。この保温材は、蓄熱材を内包するマイクロカプセルの水性分散液が包材に固定化されてなっている。この保温材は、電子レンジのようにマイクロ波を照射することにより加熱及び蓄熱が可能になっている。
【０００３】
しかし、加熱及び蓄熱に際し、過剰にマイクロ波を照射し続けると、内容物の水分が次第に蒸発し、膨張して、図４に示すように包材５１が破損又は破裂し、内容物５２が飛散することがあるという課題がある。
【０００４】
この課題に対応するために、次の態様に構成された保温材もある。
（１）包材の強度を向上させた態様。
（２）包材を２重にした態様。
【０００５】
【特許文献１】特開平８−１９５６４号公報
【発明の開示】
【発明が解決しようとする課題】
【０００６】
ところが、前記（１）の態様では、保温材が過剰に加熱されると、包材の強度が高いために却って内圧が高くなってしまい、破損又は破裂時の衝撃が大きくなってしまうという課題がある。
【０００７】
また、前記（２）の態様では、保温材が過剰に加熱されると、内側の包材が破損又は破裂した後、外側の包材内に漏れた内容物の蒸発・膨張により、結局外側の包材も破損又は破裂してしまうという課題がある。
【課題を解決するための手段】
【０００８】
上記課題を解決するために、本発明の保温体は、含水ゲルを密閉してなる合成樹脂製の内袋を、通気性を有する布製の外袋に閉じこめてなっている。
【０００９】
前記外袋を形成する布としては、特に限定されないが、織布又は不織布を例示する。
【００１０】
この構成によれば、加熱及び蓄熱に際し、前記内袋を過剰に加熱してしまい、該内袋が破損又は破裂してしまったときの高温の含水ゲルの飛散を前記外袋により防止することができる。前記外袋は、通気性を有しているので、前記内袋とは異なり、内容物の水分が次第に蒸発しても、内圧が上昇することがない。
【００１１】
前記保温体においては、前記外袋は、前記内袋の膨張を許容するように形成された態様を例示する。この外袋としては、特に限定されないが、次の態様を例示する。
（１）前記外袋は、前記内袋の膨張を許容するマージンを有する容量に形成された態様。
（２）前記外袋は、前記内袋の膨張を許容するように伸張可能に形成された態様。
【００１２】
この構成によれば、過剰な加熱による前記内袋の膨張により前記外袋が破損又は破裂することを防止できる。
【００１３】
前記保温体においては、前記外袋は、持ち手が設けられた態様を例示する。
【００１４】
この構成によれば、前記持ち手を持つことにより、前記内袋に触れずに前記保温体を持つことができるので、前記含水ゲルが過剰に加熱されてしまっている場合の使用者の火傷を防止することができる。
【００１５】
前記保温体においては、前記持ち手は、液体の染み込みを防止するように形成された態様を例示する。この持ち手としては、特に限定されないが、次の態様を例示する。
（１）前記外袋の表面の一部を、液体が染み込まないように加工することにより形成された態様。前記加工としては、前記外袋を溶着したり、該外袋に接着剤を塗布したり、外袋にフィルムを貼り付けたりすることを例示する。
（２）液体が染み込まない材質からなる持ち手を取り付けてなる態様。
【００１６】
この構成によれば、過剰な加熱による前記内袋の破損又は破裂時に漏れ出た高温の含水ゲルが前記持ち手には染み込まないので、該持ち手を持ったときに使用者が火傷することを防止できる。
【００１７】
前記保温体においては、前記外袋は、水溶性塗料が含浸又は塗布されてなる態様を例示する。
【００１８】
この構成によれば、前記内袋が破損又は破裂して含水ゲルが漏れると、前記水溶性塗料が溶けて、該破損又は破裂を視覚的に表示することができる。
【００１９】
前記保温体においては、前記外袋は、水を含むと変色する塗料が含浸又は塗布されてなる態様を例示する。
【００２０】
この構成によれば、前記内袋が破損又は破裂して含水ゲルが漏れると、前記塗料が変色し、該破損又は破裂が視覚的に表示される。
【００２１】
前記保温体においては、前記外袋は、温度により変色する塗料が含浸又は塗布されてなる態様を例示する。
【００２２】
この構成によれば、前記内袋の温度が視覚的に表示される。これにより、例えば、所定以上の高温になると変色する塗料を使用すれば、前記内袋が該高温になっていることが視覚的に表示され、使用者の火傷を防止することができる。また、所定の適温である場合と、該適温よりも低温である場合とで変色する塗料を使用すれば、該内袋が低温になっていることが視覚的に表示され、使用中の保温体を、再加熱したり、加熱済みの別の保温体に取り替えたりする時期が分かる。これにより、例えば、耳が聞こえない方やしゃべれない方を介護する場合でも、介護者が本発明の保温体を再加熱等する時期を視覚的に認識することができ、介護を円滑に行うことができる。
【発明の効果】
【００２３】
本発明に係る保温体によれば、加熱及び蓄熱に際し、過剰に加熱してしまったときの高温の含水ゲルの飛散を防止することができるという優れた効果を奏する。
【発明を実施するための最良の形態】
【００２４】
図１〜図３は本発明を具体化した一実施形態の保温体１を示している。この保温体１は、図１及び図２に示すように、含水ゲル２を密閉してなる合成樹脂製の内袋３を、通気性を有する不織布製の外袋４に閉じこめてなっている。
【００２５】
外袋４は、合成樹脂製の不織布（例えば、ポリプロピレン製のスパンボンド不織布）からなっており、水溶性塗料が含浸又は塗布されている。この外袋４は、矩形状に形成された不織布を二つ折りにして３辺を熱溶着することにより形成されており、内袋３の膨張を許容するマージンを有する容量に形成されている。具体的には、後述する各実施例の内袋３に対する外袋４の容量（サイズ）を例示する。この外袋４の３辺の熱溶着された糊代の部分が持ち手５となっており、この持ち手５は液体の染み込みを防止するように形成されている。
【００２６】
内袋３としては、ポリエステルやナイロン−ポリエステル積層などの合成樹脂製のものが適当であり、しかるべき機械的強度を有する。図１〜図３には、袋数を３連した例を示している。
【００２７】
本例の含水ゲル２は、水及び水吸収ゲル化剤を主成分とするものを例示する。本保温体１を保冷体としても用いる場合には、含水ゲル２に、氷点降下剤を混合する。
【００２８】
以上のように構成された本例の保温体１によれば、内袋３を、通気性を有する不織布製の外袋４に閉じこめてなっているので、図３に示すように、加熱及び蓄熱に際し、内袋３を過剰に加熱してしまい、該内袋３が破損又は破裂してしまったときの高温の含水ゲル２の飛散を外袋４により防止することができる。外袋４は、通気性を有しているので、内袋３とは異なり、内容物の水分が次第に蒸発しても、内圧が上昇することがない。
【００２９】
また、外袋４は、内袋３の膨張を許容するように形成されているので、過剰な加熱による内袋３の膨張により外袋４が破損又は破裂することを防止できる。
【００３０】
また、外袋４は持ち手５が設けられているので、該持ち手５を持つことにより、内袋３に触れずに保温体１を持つことができるので、含水ゲル２が過剰に加熱されてしまっている場合の使用者の火傷を防止することができる。
【００３１】
また、持ち手５は、液体の染み込みを防止するように形成されているので、過剰な加熱による内袋３の破損又は破裂時に漏れ出た高温の含水ゲル２が持ち手５には染み込まないので、該持ち手５を持ったときに使用者が火傷することを防止できる。
【００３２】
また、外袋４は、水溶性塗料が含浸又は塗布されてなっているので、内袋３が破損又は破裂して含水ゲル２が漏れると、前記水溶性塗料が溶けて、該破損又は破裂を視覚的に表示することができる。
【００３３】
なお、本発明は前記実施形態に限定されるものではなく、例えば以下のように、発明の趣旨から逸脱しない範囲で適宜変更して具体化することもできる。
（１）外袋４を織布により形成すること。
（２）保温体１においては、外袋４は、水を含むと変色する塗料が含浸又は塗布されてなる態様を例示する。この構成によれば、内袋３が破損又は破裂して含水ゲル２が漏れると、前記塗料が変色し、該破損又は破裂が視覚的に表示される。
（３）保温体１においては、外袋４は、温度により変色する塗料が含浸又は塗布されてなる態様を例示する。この構成によれば、内袋３の温度が視覚的に表示される。
【実施例】
【００３４】
次に、本発明の保温体１を過剰に加熱した場合の実施例について説明する。本例において、外袋４は、ポリプロピレン製スパンボンド不織布（厚さ０．３２ｍｍ、重量５０ｇ／ｍ2）からなり、内袋３は、ナイロン−ポリエステル積層の合成樹脂（厚さ９５μｍ）からなり、含水ゲル２は、水、水吸収ゲル化剤、及び氷点降下剤の混合物からなっている。表１に示す実施例１〜４の態様について、電子レンジ（出力５００Ｗ）で１０分間加熱（過剰に加熱）した。その結果、内袋３が破損又は破裂し、含水ゲル２の水分が外袋４に染み出したが、含水ゲル２が飛散することはなかった。
【００３５】
（表１）
┌────┬───────────┬───────────────┬────┐
│        │外袋のサイズ          │内袋のサイズ及び袋数          │含水ゲル│
├────┼───────────┼───────────────┼────┤
│実施例１│120×160mm(内、糊代は │100×130mm(内、糊代は         │１５０ｇ│
│        │3辺に10mmずつ)        │左右10mmずつ)、1連            │        │
├────┼───────────┼───────────────┼────┤
│実施例２│120×180mm(内、糊代は │100×150mm(内、糊代は         │１８０ｇ│
│        │3辺に10mmずつ)        │左右10mmずつ)、1連            │        │
├────┼───────────┼───────────────┼────┤
│実施例３│120×320mm(内、糊代は │100×300mm(内、糊代は左右     │２００ｇ│
│        │3辺に10mmずつ)        │10mmずつ、真ん中20mm)、2連    │        │
├────┼───────────┼───────────────┼────┤
│実施例４│120×320mm(内、糊代は │100×300mm(内、糊代は左右     │２００ｇ│
│        │3辺に10mmずつ)        │10mmずつ、真ん中20mm×2)、3連 │        │
└────┴───────────┴───────────────┴────┘
【図面の簡単な説明】
【００３６】
【図１】本発明を具体化した一実施形態に係る保温体の斜視図である。
【図２】図１のＩＩ−ＩＩ線断面図である。
【図３】過剰な加熱により同保温体の内袋が破損又は破裂した状態を示す斜視図である。
【図４】過剰な加熱により従来の保温材が破損又は破裂した状態を示す斜視図である。
【符号の説明】
【００３７】
１  保温体
２  含水ゲル
３  内袋
４  外袋
５  持ち手
【図１】
2009034454.tif 000003
【図２】
2009034454.tif 000004
【図３】
2009034454.tif 000005
【図４】
2009034454.tif 000006